(57)【特許請求の範囲】
【請求項１】
ネットワークを介して、通信用識別情報に関する処理を行う情報処理装置及び通信用識別情報の管理を行う管理装置が接続する通信用識別情報通知システムであって、
前記情報処理装置は、
少なくとも一つの第１のユーザの通信用識別情報を格納する第１の識別情報格納手段と、
前記第１のユーザと第２のユーザとの間における、前記第１のユーザの通信用識別情報及び前記第２のユーザの通信用識別情報を用いた第１の通信を実行する通信実行手段と、
前記第１の通信の履歴に基づいて、前記第１のユーザと前記第２のユーザとの親密度を生成する親密度生成手段と、
前記親密度が予め定められた閾値より大きい場合に、前記管理装置へ、前記第２のユーザの通信用識別情報及び前記親密度を通知する第１の送信手段と、
前記管理装置にて生成される前記第２のユーザの通信用識別情報を含む通知リストの提供を要求する第２の送信手段と、
前記通知リストの提供の要求に対して、前記管理装置から前記通知リストを受信する第１の受信手段、
を具備しており、
前記管理装置は、
前記情報処理装置から前記第２のユーザの通信用識別情報及び前記親密度を受信する第２の受信手段と、
前記第２のユーザの通信用識別情報及び前記親密度を格納する第２の識別情報格納手段と、
前記第２のユーザの通信用識別情報及び前記親密度から、前記通知リストを生成する通知リスト生成手段と、
前記情報処理装置から前記通知リストの提供の要求を受信する第３の受信手段と、
前記通知リストの提供の要求に対して、前記通知リスト生成手段で生成した前記通知リストを前記情報処理装置に送信する第３の送信手段、
を具備しており、
前記親密度生成手段は、前記第１のユーザと前記第２のユーザとの間の親密度を複数のカテゴリごとに生成し、
前記第１の送信手段は、前記複数のカテゴリのうちのいずれかのカテゴリの親密度が予め定められた閾値より大きい場合に、前記管理装置へ、前記第２のユーザの通信用識別情報及び全ての前記カテゴリの親密度を通知することを特徴とする通信用識別情報通知システム。
【請求項２】
前記親密度生成手段は、前記通信の履歴及び前記複数のカテゴリごとに登録されたキーワードに基づいて、前記複数のカテゴリごとに前記親密度を算出する、請求項１に記載のシステム。
【請求項３】
前記通知リスト生成手段は、前記複数のカテゴリごとの親密度から最も大きいトップカテゴリを特定し、前記トップカテゴリで前記第２のユーザの通信用識別情報を分類して前記通知リストを生成する、請求項１乃至２のシステム。
【請求項４】
前記管理装置は、前記情報処理装置より前記通知リストの提供の要求を受け付けるため、前記情報処理装置から受信したＩＤ及びパスワードに基づき認証を実行する認証手段を更に具備する、請求項１乃至３のシステム。
【請求項５】
ネットワークを介して、通信用識別情報の管理を行う管理装置と接続されており、通信用識別情報に関する処理を行う情報処理装置であって、
少なくとも一つの第１のユーザの通信用識別情報を格納する第１の識別情報格納手段と、
前記第１のユーザと第２のユーザとの間における、前記第１のユーザの通信用識別情報及び前記第２のユーザの通信用識別情報を用いた第１の通信を実行する通信実行手段と、
前記第１の通信の履歴及び複数のカテゴリごとに登録されたキーワードに基づいて、前記第１のユーザと前記第２のユーザとの親密度を前記複数のカテゴリごとに生成するものであって、前記複数のカテゴリのうちのいずれかのカテゴリの親密度が予め定められた閾値より大きい場合に、前記管理装置へ、前記第２のユーザの通信用識別情報及び全ての前記カテゴリの親密度を通知する第１の送信手段と、
前記管理装置にて生成される前記第２のユーザの通信用識別情報を含む通知リストの提供を要求する第２の送信手段と、
前記通知リストの提供を受けるための認証用ＩＤ及びパスワードを送信する第３の送信手段と、
前記通知リストの提供の要求に対して、前記管理装置から前記通知リストを受信する受信手段
を具備することを特徴とする情報処理装置。  
【請求項６】
ネットワークを介して、通信用識別情報の管理を行う管理装置と接続されており、通信用識別情報に関する処理を行う情報処理プログラムであって、
情報処理装置を、
少なくとも一つの第１のユーザの通信用識別情報を格納する第１の識別情報格納手段と、
前記第１のユーザと第２のユーザとの間における、前記第１のユーザの通信用識別情報及び前記第２のユーザの通信用識別情報を用いた第１の通信を実行する通信実行手段と、
前記第１の通信の履歴及び複数のカテゴリごとに登録されたキーワードに基づいて、前記第１のユーザと前記第２のユーザとの親密度を前記複数のカテゴリごとに生成するものであって、前記複数のカテゴリのうちのいずれかのカテゴリの親密度が予め定められた閾値より大きい場合に、前記管理装置へ、前記第２のユーザの通信用識別情報及び全ての前記カテゴリの親密度を通知する第１の送信手段と、
前記管理装置にて生成される前記第２のユーザの通信用識別情報を含む通知リストの提供を要求する第２の送信手段と、
前記通知リストの提供を受けるための認証用ＩＤ及びパスワードを送信する第３の送信手段と、
前記通知リストの提供の要求に対して、前記管理装置から前記通知リストを受信する受信手段
として機能させるための情報処理プログラム。
【発明の詳細な説明】
【技術分野】
【０００１】
本発明は、通信用識別情報通知システム、情報処理装置及びプログラムに関する。
【背景技術】
【０００２】
ライフイベントが発生した際に、その通知を漏れなく実行する提供方法が知られている。（例えば、特許文献１）。
特許文献１  特開２００４−４６３０６号公報
【０００３】
また、ライフイベントに伴って必要となる手続きが個人によって大きく異なることが考慮された個人適応型ライフイベントシステムが知られている。（例えば、特許文献２）。
特許文献２  特開２００９−２８８８６２号公報
【発明の概要】
【発明が解決しようとする課題】
【０００４】
ライフイベントの一つに死亡がある。人が死亡した場合、遺族は、まず親戚、友人、知人などの関係者へ死亡連絡を行う。その時に、喪主である遺族は、誰に死亡連絡・葬儀の案内通知をするべきか悩むことが多い。特に死亡した本人（以下、本人という。）の友人・知人関係が明確でない。人との友人・知人関係は、本人しか分らないことも多く、遺族が本人全ての友人・知人関係、及びその友人・知人との親密度を、本人の生前から把握していることは容易ではない。特に単独生活者など、身近に親族がいない人が、事故死、突然死、孤立死した場合は更に難しくなる。
【０００５】
親密な友人・知人への死亡連絡が漏れると、葬儀に参列する機会を失われ、親密な友人・知人に残念な思いをさせてしまい、礼儀に欠けるおそれがある。加えて、死亡通知には葬儀の案内も含まれることから、遅くとも葬儀の1日前迄には通知する必要がある。遺族はその他の葬儀準備もしなくてはならず、遺族への負担は大きかった。
【０００６】
そこで、本発明は、本人が、生前から手を煩わせることなく、通信履歴を利用して友人・知人関係の親密度に基づく、友人・知人との電話番号やメールアドレスなどを含む通知リストを生成及び更新しておき、死亡した場合には、本人に代って、喪主たる遺族など第三者が、死亡通知先候補として前記通知リストの入手を可能とする通信用識別情報通知システム、情報処理装置及びプログラムに関するものである。
【課題を解決するための手段】
【０００７】
本発明の第一の態様によれば、ネットワークを介して、通信用識別情報に関する処理を行う情報処理装置及び通信用識別情報の管理を行う管理装置が接続する通信用識別情報通知システムであって、前記情報処理装置は、少なくとも一つの第１のユーザの通信用識別情報を格納する第１の識別情報格納手段と、  前記第１のユーザと第２のユーザとの間における、前記第１のユーザの通信用識別情報及び前記第２のユーザの通信用識別情報を用いた第１の通信を実行する通信実行手段と、前記第１の通信の履歴に基づいて、前記第１のユーザと前記第２のユーザとの親密度を生成する親密度生成手段と、前記親密度が予め定められた閾値より大きい場合に、前記管理装置へ、前記第２のユーザの通信用識別情報及び前記親密度を通知する第１の送信手段と、前記管理装置にて生成される前記第２のユーザの通信用識別情報を含む通知リストの提供を要求する第２の送信手段と、前記通知リストの提供の要求に対して、前記管理装置から前記通知リストを受信する第１の受信手段、  を具備しており、前記管理装置は、前記情報処理装置から前記第２のユーザの通信用識別情報及び前記親密度を受信する第２の受信手段と、前記第２のユーザの通信用識別情報及び前記親密度を格納する第２の識別情報格納手段と、前記第２のユーザの通信用識別情報及び前記親密度から、前記通知リストを生成する通知リスト生成手段と、前記情報処理装置から前記通知リストの提供の要求を受信する第３の受信手段と、前記通知リストの提供の要求に対して、前記通知リスト生成手段で生成した前記通知リストを前記情報処理装置に送信する第３の送信手段を具備することを特徴とする通信用識別情報通知システムを提供する。
【０００８】
前記親密度生成手段は、前記第１のユーザと前記第２のユーザとの間の親密度を複数の
カテゴリごとに生成してよく、前記第１の送信手段は、前記複数のカテゴリのうちのいずれかのカテゴリの親密度が予め定められた閾値より大きい場合に、前記管理装置へ、前記第２のユーザの通信用識別情報及び全ての前記カテゴリの親密度を通知してよい。
また前記親密度生成手段は、前記通信の履歴及び前記複数のカテゴリごとに登録されたキーワードに基づいて、前記複数のカテゴリごとに前記親密度を算出してよい。
【０００９】
前記通知リスト生成手段は、前記複数のカテゴリごとの親密度から最も大きいトップカテゴリを特定し、前記トップカテゴリで前記第２のユーザの通信用識別情報を分類して前記通知リストを生成してよい。
【００１０】
前記管理装置は、前記情報処理装置より前記通知リストの提供の要求を受け付けるため、前記情報処理装置から受信したＩＤ及びパスワードに基づき認証を実行する認証手段を更に具備してもよい。
【００１１】
本発明の第二の態様によれば、ネットワークを介して、通信用識別情報の管理を行う管理装置と接続されており、通信用識別情報に関する処理を行う情報処理装置であって、少なくとも一つの第１のユーザの通信用識別情報を格納する第１の識別情報格納手段と、前記第１のユーザと第２のユーザとの間における、前記第１のユーザの通信用識別情報及び前記第２のユーザの通信用識別情報を用いた第１の通信を実行する通信実行手段と、前記第１の通信の履歴及び複数のカテゴリごとに登録されたキーワードに基づいて、前記第１のユーザと前記第２のユーザとの親密度を前記複数のカテゴリごとに生成するものであって、前記複数のカテゴリのうちのいずれかのカテゴリの親密度が予め定められた閾値より大きい場合に、前記管理装置へ、前記第２のユーザの通信用識別情報及び全ての前記カテゴリの親密度を通知する第１の送信手段と、前記管理装置にて生成される前記第２のユーザの通信用識別情報を含む通知リストの提供を要求する第２の送信手段と、前記通知リストの提供を受けるための認証用ＩＤ及びパスワードを送信する第３の送信手段と、前記通知リストの提供の要求に対して、前記管理装置から前記通知リストを受信する受信手段を具備することを特徴とする情報処理装置が提供される。
【００１２】
本発明の第三の態様によれば、ネットワークを介して、通信用識別情報の管理を行う管理装置と接続されており、通信用識別情報に関する処理を行う情報処理プログラムであって、情報処理装置を、少なくとも一つの第１のユーザの通信用識別情報を格納する第１の識別情報格納手段と、前記第１のユーザと第２のユーザとの間における、前記第１のユーザの通信用識別情報及び前記第２のユーザの通信用識別情報を用いた第１の通信を実行する通信実行手段と、前記第１の通信の履歴及び複数のカテゴリごとに登録されたキーワードに基づいて、前記第１のユーザと前記第２のユーザとの親密度を前記複数のカテゴリごとに生成するものであって、前記複数のカテゴリのうちのいずれかのカテゴリの親密度が予め定められた閾値より大きい場合に、前記管理装置へ、前記第２のユーザの通信用識別情報及び全ての前記カテゴリの親密度を通知する第１の送信手段と、前記管理装置にて生成される前記第２のユーザの通信用識別情報を含む通知リストの提供を要求する第２の送信手段と、前記通知リストの提供を受けるための認証用ＩＤ及びパスワードを送信する第３の送信手段と、前記通知リストの提供の要求に対して、前記管理装置から前記通知リストを受信する受信手段として機能させるための情報処理プログラムが提供される。
【００１３】
なお、上記の発明の概要は、本発明の必要な特徴の全てを列挙したものではない。これらの特徴群のサブコンビネーションもまた、発明となりうる。
【図面の簡単な説明】
【００１４】
【図１】携帯電話１００の通信環境の一例を概略的に示す。
【図２】携帯電話１００の機能構成を概略的に示す。
【図３】識別情報格納部１０２に格納されたデータの一例を概略的に示す。
【図４】親密度生成部１０８により生成された親密度データの一例を概略的に示す。
【図５】算出条件格納部１１２に格納された算出条件の一例を概略的に示す。
【図６】携帯電話１００の処理のフローチャートの一例を示す。
【図７】通信用識別情報管理サーバ４００の機能構成を概略的に示す。
【図８】通知リスト生成部４０８により生成された通知リスト４２の一例を概略的に示す。
【図９】携帯電話１００及び通信用情報識別管理サーバ４００の処理のフローチャートの一例を示す。
【図１０】ＳＮＳサーバ３００が情報処理装置として機能する場合のＳＮＳサーバ３００の機能構成を概略的に示す
【図１１】携帯電話１００のハードウェア構成を概略的に示す。
【発明を実施するための形態】
【００１５】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１６】
図１は、携帯電話１００の通信環境の一例を概略的に示す。本人１０が所持する携帯電話である。携帯電話２００は、本人１０の友人・知人２０が所持する携帯電話である。携帯電話１００は、通信用識別情報に関する処理を行う情報処理装置の一例である。
なお、以下に記載する携帯電話１００に係る操作及び処理のうち、特に明示がないものは本人１０が行なう。
【００１７】
携帯電話１００は、基地局８２、ネットワーク８０、及び基地局８４を介して、携帯電話２００と通信する。携帯電話１００、及び携帯電話２００は、ネットワーク８０を介して相互に通信することができる。ネットワーク８０は、インターネット及び携帯電話網を含んでよい。携帯電話網は、例えば第３世代及び第４世代の携帯電話網である。
【００１８】
携帯電話１００は、本人１０の通信用識別情報及び他のユーザの通信用識別情報を格納している。例えば、携帯電話１００は、本人１０の電話番号及び携帯メールアドレスと、複数の通信相手の電話番号及び携帯メールアドレスが登録された電話帳データを格納している。携帯電話２００も、本人１０の電話番号及び携帯メールアドレスと、複数の通信相手の電話番号及び携帯メールアドレスが登録された電話帳データを格納している。  
【００１９】
通信用識別情報管理サーバ４００は、本人１０の携帯電話１００から通知された本人１０の友人・知人２０の通信用識別情報を含む情報を格納するサーバである。
【００２０】
携帯電話１００は、携帯電話２００と通信した場合に、通信履歴に基づいて本人１０と友人・知人２０との親密度を生成する。携帯電話１００は、例えば、予め定められた日数連続して携帯電話１００と携帯電話２００との間で通信が実行された場合に、本人１０と友人・知人２０との親密度を向上させるなどの処理によって、親密度を生成する。
【００２１】
携帯電話１００は、生成した本人１０と友人・知人２０との親密度が、予め定められた閾値より大きい場合に、携帯電話１００が保有する携帯電話２００の電話番号、携帯メールアドレスなどを含む通信用識別情報の全てを、親密度に係る情報とともに通信用識別情報管理サーバ４００に通知する。ここで親密度に係る情報とは、後述する友人１０と友人・知人２０との親密度の程度を表した情報、例えば数値情報をいう。通信用識別情報管理サーバ４００は、通知を受けた通信用識別情報と、それに付随して通知された親密度に係る情報とともに格納する。
【００２２】
図２は、携帯電話１００の機能構成を概略的に示す。携帯電話１００は、識別情報格納部１０２、通信実行部１０４、通信履歴格納部１０６、親密度生成部１０８、算出条件格納部１１２、入力部１１４、及び制御部１１６を備える。
【００２３】
識別情報格納部１０２は、携帯電話のキャリアによって本人１０に対して割り当てられた、携帯電話１００で主に使用する携帯メールアドレスを含む。識別情報格納部１０２は、携帯電話１００の電話番号を格納する。
【００２４】
また、識別情報格納部１０２は、複数の通信相手の通信用識別情報を格納する。例えば、識別情報格納部１０２は、複数の通信相手毎に、通信相手の名称、電話番号、携帯電話のメールアドレス、ＰＣメールアドレス、及びＳＮＳアカウント名を格納する。電話番号が変更した場合には上書き処理、1名の友人・知人が複数の電話番号やメールアドレスを保持している場合には併記してもよい。
【００２５】
通信実行部１０４は、本人１０と他のユーザとの間の通信を実行する。例えば、通信
実行部１０４は、本人１０と友人・知人２０との間における、携帯電話１００の携帯メールアドレス及び携帯電話２００の携帯メールアドレスを用いたメール通信を実行する。
【００２６】
また、通信実行部１０４は、本人１０と友人・知人２０との間における、携帯電話１００の電話番号及び携帯電話２００の電話番号を用いた通話処理を実行してよい。また、通信実行部１０４は、本人１０と友人・知人２０との間における、ＳＮＳのアカウント名及び友人・知人２０のアカウント名を用いたチャットなどの通信を実行してよい。
【００２７】
また、通信実行部１０４は、携帯電話１００から通信用識別情報管理サーバ４００への通信を実行する。
【００２８】
通信履歴格納部１０６は、本人１０と他のユーザとの間における通信の履歴を格納する。通信履歴格納部１０６は、例えば、通信日時を格納する。通信履歴格納部１０６は、メール通信の場合は送信日時及び受信日時を格納してよく、通話の場合は通話開始日時及び通話終了日時を格納してよい。
【００２９】
また、通信履歴格納部１０６は、通信の内容を格納してよい。例えば、メール通信の場合、通信履歴格納部１０６はメールの内容を示すテキストデータを格納する。また、通話の場合、通信履歴格納部１０６は、通話の内容を示す音声データ及び音声データに音声認識処理を施して生成したテキストデータの少なくとも何れかを格納してよい。また、ソーシャルネットワーキングサービスにおけるチャットの場合、通信履歴格納部１０６は、チャットの内容を示すテキストデータを格納してよい。また、通信履歴格納部１０６は、メール及びソーシャルネットワーキングサービスにおけるチャットの通信に、静止画像又は動画像を含む画像や文字、記号、数字や図形、さらには音声や音楽等の各種データが記録されているファイルが含まれている場合、それらファイルデータの少なくとも何れかを格納してよい。
【００３０】
親密度生成部１０８は、通信履歴格納部１０６に格納された通信の履歴に基づいて、本人１０と他のユーザとの親密度を生成する。親密度生成部１０８は、通信状況に基づいて親密度を算出してよい。例えば、親密度生成部１０８は、通信回数が多い場合の方が、少ない場合に比べて親密度が高くなるように親密度を算出する。また、親密度生成部１０８は、予め定められた期間における通信回数が多い場合の方が、少ない場合に比べて親密度が高くなるように親密度を算出してもよい。
【００３１】
また、親密度生成部１０８は、通信の時間帯が一定しているユーザの親密度の方が、通信の時間帯が分散しているユーザの親密度よりも高くなるように親密度を算出してよい。例えば、親密度生成部１０８は、毎日同じ時間に通信をしているユーザの親密度が、時間帯に関係なく通信しているユーザに対する親密度よりも高くなるように親密度を算出する。
【００３２】
また、親密度生成部１０８は、通信の継続時間が長い場合の方が、短い場合に比べて親密度が高くなるように親密度を算出してよい。例えば、親密度生成部１０８は、通話時間及びチャットの継続時間が長いほど親密度を高く算出する。また、親密度生成部１０８は、１回のメール通信のデータ量が大きい場合の方が、小さい場合に比べて親密度が高くなるように親密度を算出してよい。また、親密度生成部１０８は、１回のメール通信の文章の長さが長い場合の方が、短い場合に比べて親密度が高くなるように親密度を算出してよい。
【００３３】
また、親密度生成部１０８は、通信の内容に基づいて親密度を算出してよい。例えば、親密度生成部１０８は、メール通信において、件名がある場合の方が、件名がない場合に比べて親密度が高くなるように親密度を算出する。また、親密度生成部１０８は、メール通信において、アドレスニックネームがある場合の方が、アドレスニックネームがない場合に比べて親密度が高くなるように親密度を算出してよい。
【００３４】
また、親密度生成部１０８は、アドレスニックネームがある場合において、敬称がある場合の方が、敬称がない場合に比べて親密度が高くなるように親密度を算出してよい。また、親密度生成部１０８は、敬称がある場合において、敬称の種類に応じて親密度を算出してよい。例えば、親密度生成部１０８は、含まれる敬称が、「殿」、「様」、「さん」、「くん」、「ちゃん」、「字名」の順で親密度が高くなるように親密度を算出してよい。「御中」、「ご担当者様」など、明らかに友人・知人関係にない法人、取引先、市役所等の官公庁のような相手先とわかる場合には親密度を下げる、又はゼロとするように算出してよい。
【００３５】
また、親密度生成部１０８は、メール及びチャットの通信に、静止画像又は動画像を含む画像や文字、記号、数字や図形、さらには音声や音楽等の各種データが記録されているファイルが含まれるか否かに応じて、親密度を算出してよい。例えば、親密度生成部１０８は、上記ファイルが含まれている場合の方が、上記ファイルが含まれていない場合に比べて親密度が高くなるように親密度を算出する。また、親密度生成部１０８は、上記ファイルが含まれている場合、上記ファイルの数が多い場合の方が、少ない場合に比べて親密度が高くなるように親密度を算出してよい。また、上記ファイルのデータ量が大きい場合の方が、小さい場合に比べて親密度が高くなるように親密度を算出してよい。
【００３６】
また、親密度生成部１０８は、メール及びチャットの通信に、上記ファイルが含まれている場合において、当該通信の送信者又は受信者を特定する静止画像又は動画像を含む画像や文字、記号、数字や図形、さらには音声や音楽等の各種データの少なくとも何れかが含まれている場合の方が、当該通信の送信者又は受信者を特定する静止画像又は動画像を含む画像や文字、記号、数字や図形、さらには音声や音楽等の各種データの少なくとも何れかが含まれていない場合に比べて親密度が高くなるように親密度を算出してよい。また、親密度生成部１０８は、上記ファイルに当該通信の送信者又は受信者を特定する静止画像又は動画像を含む画像や文字、記号、数字や図形、さらには音声や音楽等の各種データの少なくとも何れかが含まれている場合、送信者又は受信者を特定するデータ数が多い場合の方が、少ない場合に比べて親密度が高くなるように親密度を算出してよい。
【００３７】
また、親密度生成部１０８は、メール通信における件名及び本文のテキストデータ、チャットにおけるテキストデータ、通話における音声認識結果のテキストデータ、並びにメール及びチャットの通信のファイルに含まれるテキストデータに基づいて親密度を算出してよい。例えば、親密度生成部１０８は、テキストデータ中にくだけた表現が含まれている場合の方が、硬い表現が含まれている場合に比べて親密度が高くなるように親密度を算出する。親密度生成部１０８は、予め登録された、「だよね」、「しようね」等のくだけた表現を含む場合、予め登録された、「申し上げます」、「いたします」、「です」等の硬い表現を含む場合に比べて親密度が高くなるよう親密度を算出してよい。
【００３８】
また、親密度生成部１０８は、テキストデータ中に、通信相手の宛名が含まれている場合の方が、宛名が含まれていない場合に比べて親密度が高くなるように親密度を算出してよい。また、親密度生成部１０８は、宛名が含まれている場合において、宛名の種類に応じて親密度を算出してよい。例えば、親密度生成部１０８は、「氏名」、「氏」、「名」、「字名」の順で親密度が高くなるように親密度を算出する。
【００３９】
また、親密度生成部１０８は、テキストデータ中において、同じ言葉に対してひらがなで表現している場合の方が、漢字で表現している場合に比べて親密度が高くなるように親密度を算出してよい。また、親密度生成部１０８は、テキストデータ中において、接頭語が使用されているか否かに応じて、親密度を算出してもよい。
【００４０】
また、親密度生成部１０８は、メール通信における本文のテキストデータ、チャットの内容を示すテキストデータ、通話における音声認識結果のテキストデータ、並びにメール及びチャットの通信のファイルに含まれるテキストデータに、本人１０を示す呼称が含まれている場合に、呼称の種類に応じて親密度を算出してよい。例えば、親密度生成部１０８は、「氏名」、「氏」、「名」、「私」、「僕」、「俺」、「字名」の順で親密度が高くなるように親密度を算出する。
【００４１】
親密度生成部１０８は、上述した複数の尺度のうち２つ以上の尺度を用いて、親密度を算出してもよい。例えば、親密度生成部１０８は、各尺度により親密度の加点ポイント及び減点ポイントを算出して、算出した複数の加点ポイント及び減点ポイントを親密度に適用することによって、親密度を算出してよい。例えば、親密度の最大値が１００ポイントであり、現在の親密度が５０ポイントである場合に、通信回数に応じたポイントが加点１０であり、通信内容に応じたポイントが減点５であった場合に、親密度生成部１０８は、親密度を５５ポイントとして算出してよい。
【００４２】
算出条件格納部１１２は、親密度生成部１０８が親密度を算出するときに使用する算出条件を格納する。算出条件格納部１１２は、複数のカテゴリごとに登録された複数のキーワードを格納してよい。例えば、算出条件格納部１１２は、ビジネス及び趣味（ゴルフ）のカテゴリごとに、複数のキーワードを格納する。
【００４３】
親密度生成部１０８は、算出条件格納部１１２が格納する、複数のカテゴリごとに登録された複数のキーワードに基づいて、複数のカテゴリごとに親密度を生成してよい。親密度生成部１０８は、例えば、メール通信における件名及び本文のテキストデータ、チャットにおけるテキストデータ、通話における音声認識結果のテキストデータに、算出条件格納部１１２に格納されたキーワードが含まれている場合の方が、含まれていない場合に比べて当該キーワードに対応するカテゴリの親密度が高くなるように、当該カテゴリの親密度を算出する。
【００４４】
親密度生成部１０８は、キーワードがより多く含まれている場合に、親密度がより高くなるように親密度を算出してよい。また、親密度生成部１０８は、テキストデータに含まれるキーワードの割合が高いほど親密度が高くなるように親密度を算出してもよい。
【００４５】
入力部１１４は、本人１０からの入力を受け付ける。入力部１１４は、例えば、本人１０からの電話帳データへの入力を受け付けてよい。
【００４６】
制御部１１６は、識別情報格納部１０２、通信実行部１０４、通信履歴格納部１０６、親密度生成部１０８、算出条件格納部１１２、及び入力部１１４を制御する。制御部１１６は、親密度生成部１０８により生成された親密度を予め定められた閾値と比較して、親密度が予め定められた閾値より大きいか否かを判定してよい。
【００４７】
図３は、識別情報格納部１０２に格納されたデータの一例を概略的に示す。識別情報格納部１０２は、ＩＤ、ユーザ名、電話番号、携帯メールアドレス、ＰＣメールアドレス、及びＳＮＳアカウント名の組を複数格納してよい。図中の"−"は未登録であることを示す。識別情報格納部１０２に格納される各データは、例えば、入力部１１４を介して本人１０によって入力される。
【００４８】
図４は、親密度生成部１０８によって生成された親密度データの一例を概略的に示す。親密度データは、ＩＤで識別される複数の通信相手ごとに生成された、カテゴリごとの親密度を含む。図４に示す例では、カテゴリごとの親密度は、総合親密度、ビジネス関係の友人・知人との親密度、出身校関係の友人・知人との親密度、地域コミュニティでの友人・知人との親密度、及び趣味関係の友人・知人との親密度を含む。総合親密度は、カテゴリを考慮せずに算出された親密度であってよい。
【００４９】
図４では、最大値を１００とした場合の親密度の一例を示している。制御部１１６は、親密度データに含まれる複数の親密度と予め定められた閾値とを比較してよい。予め定められた閾値は、ユーザによって任意に設定されてよい。また、予め定められた閾値は、カテゴリごとに異なる値であってもよい。
【００５０】
例えば、予め定められた閾値が４０である場合、図４に示す例では、制御部１１６によって、ＩＤ００１のユーザの総合とビジネスが閾値より大きいと判定される。また、制御部１１６によって、ＩＤ００３のビジネス関係が閾値より大きいと判定される。また、制御部１１６によって、ＩＤ００４の総合及び趣味関係（ゴルフ）が閾値より大きいと判定される。
【００５１】
図５は、算出条件格納部１１２が格納する算出条件の一例を概略的に示す。図５に示す例では、ビジネスのカテゴリに、会議、出張、報告書、打ち合わせ、案件等のビジネスに関連するキーワードが対応付けて登録されている。また、趣味（ゴルフ）のカテゴリに、ドライバー、グリーン、パター、ホールインワン等のゴルフに関連するキーワードが対応付けて登録されている。
【００５２】
各カテゴリ及び当該カテゴリに関連するキーワードは、本人１０によって入力部１１４を介して登録されてよい。また、任意の提供者によって提供される、カテゴリと当該カテゴリに関連する複数のキーワードが関連付けて登録されたキーワードデータを、算出条件格納部１１２に格納することによって、各キーワードが登録されてもよい。
【００５３】
親密度生成部１０８は、例えば、メール通信における件名及び本文のテキストデータ、チャットにおけるテキストデータ、通話における音声認識結果のテキストデータ、並びにメール及びチャットの通信のファイルに含まれるテキストデータに、会議、出張などのビジネスに対応付けられたキーワードが含まれている場合、ビジネス関連のカテゴリの親密度が高くなるようにビジネス関連のカテゴリの親密度を算出する。
【００５４】
なお、親密度の計算において、複数の通信履歴により、同一のＩＤの親密度を算出した場合には、同一のＩＤについて複数の親密度が算出されることとなる。予め定めた期間に算出された複数の親密度が存在した場合には、その平均値としてもよく、最新の親密度を強く反映させるため、直近の親密度に重みも持たせて加重平均してもよい。この平均化処理により、通信履歴による親密度の変動を反映させるように更新していってもよい。
【００５５】
図６は、携帯電話１００の処理のフローチャートの一例を示す。本フローチャートは、制御部１１６によって、本人１０と友人・知人２０との親密度の生成指示が親密度生成部１０８に出力された場合に開始する。制御部１１６は、例えば、本人１０の指示にしたがって、親密度の生成指示を親密度生成部１０８に出力する。また、制御部１１６は、予め定められたスケジュールに従って、親密度の生成指示を親密度生成部１０８に出力してもよい。
【００５６】
ステップＳ７０２では、親密度生成部１０８が、通信履歴格納部１０６に格納された本人１０と友人・知人２０との間における通信の履歴に基づいて、本人１０と友人・知人２０のカテゴリごとの親密度を算出する。
【００５７】
ステップＳ７０４では、制御部１１６が、ステップＳ７０２において算出された複数の親密度のうちの１つの親密度が、予め定められた閾値より大きいか否かを判定する。制御部１１６は、カテゴリごとに異なる閾値と比較してよい。親密度が予め定められた閾値より大きい場合、ステップＳ７０６に進み、大きくない場合、ステップＳ７１０に進む。
【００５８】
ステップＳ７０６では、制御部１１６が、対応データ格納部１１４に格納された対応データを参照して、親密度が閾値を超えている友人・知人２０の通信用識別情報を特定して取得する。
【００５９】
ステップＳ７０８では、通信用識別情報管理サーバ４００に、ステップＳ７０６で取得した友人・知人２０の通信用識別情報を、親密度に係る情報とともに通信実行部１０４が通知する。そして、ステップＳ７１０に進む。
【００６０】
ステップＳ７１０では、制御部１１６が、ステップＳ７０２で算出されたすべての親密度について比較が終了したか否かを判定する。すべての親密度について比較が終了したと判定されなかった場合、ステップＳ７０４に戻り、判定された場合、処理を終了する。
【００６１】
本実施形態において、親密度生成部１０８は、さらに、通信する装置の位置情報に基づいて、親密度を生成してもよい。例えば、親密度生成部１０８は、携帯電話１００及び携帯電話２００の位置情報に基づいて、本人１０及び友人・知人２０の親密度を算出する。
【００６２】
親密度生成部１０８は、近傍しているとみなせる位置に、携帯電話１００と携帯電話２００が位置する時間が長い場合の方が、短い場合に比べて親密度が高くなるように親密度を算出してよい。近傍しているとみなせる位置は、携帯電話１００と携帯電話２００との距離が予め定められた距離よりも近い位置であってよい。親密度生成部１０８は、携帯電話１００及び携帯電話２００のＧＰＳ等の衛星航法システム、Ｗｉ−Ｆｉアクセスポイント、及び携帯電話基地局のデータを取得することによって、携帯電話１００及び携帯電話２００の位置を把握してよい。
【００６３】
また、親密度生成部１０８は、特定の時間帯に近傍しているとみなせる位置に居る方が、居ない場合に比べて親密度が高くなるように親密度を算出してよい。これにより、特定の時間帯に近くに位置する携帯電話１００の本人１０と携帯電話２００の友人・知人２０との親密度を高くすることができる。
【００６４】
また、親密度生成部１０８は、さらに、通信する装置に格納された識別情報に基づいて、親密度を生成してもよい。例えば、親密度生成部１０８は、携帯電話１００の電話帳データに登録された友人・知人２０に関する情報が多い場合の方が、少ない場合に比べて親密度が高くなるように親密度を算出してよい。これにより、例えば、携帯電話１００の電話帳データに、友人・知人２０の電話番号と携帯メールアドレスのみが登録されている場合よりも、さらに、住所、誕生日等の情報が登録されている場合の方が、親密度を高くすることができる。
【００６５】
また、親密度生成部１０８は、ユーザ間での贈答物の履歴にさらに基づいて、親密度を生成してもよい。例えば、親密度生成部１０８は、本人１０と友人・知人２０との間の贈答物の履歴に基づいて、本人１０と友人・知人２０との親密度を生成する。親密度生成部１０８は、本人１０と友人・知人２０との間における贈答の回数が多い場合の方が、少ない場合に比べて親密度が高くなるように親密度を算出してよい。
【００６６】
また、親密度生成部１０８は、本人１０と友人・知人２０との間の贈答の時期が不定期的である場合の方が、不定期的でない場合に比べて親密度が高くなるように親密度を算出してよい。また、親密度生成部１０８は、本人１０と友人・知人２０との間の贈答物の価格が高い方が、安い場合に比べて親密度が高くなるように親密度を算出してよい。
【００６７】
上述した実施形態では、携帯電話１００を、親密度を判断する情報処理装置の一例として説明したが、これに限らない。ＳＮＳサーバ３００が親密度を判断する情報処理装置として機能してもよいし、図１に記載のネットワークに接続する本人１０が保有するＰＣ１６でもよい。
【００６８】
図７は、通信用識別情報管理サーバ４００の機能構成を概略的に示す。通信用識別情報管理サーバ４００は、識別情報格納部４０２、通信実行部４０４、通信履歴格納部４０６、通知リスト生成部４０８、識別情報更新部４１０、算出条件格納部４１２、認証部４１４、入力部４１６、及び制御部４１８を備える。
【００６９】
識別情報格納部４０２は、携帯電話１００から通知された通信用識別情報及び、前記通信用識別情報に関連する親密度に係る情報を格納する。
【００７０】
なお、通信用識別情報管理サーバ４００は、複数の利用者にサーバ機能を提供するものであってよい。識別情報格納部４０２に格納される情報は、それぞれの利用者に関連する本人１０に紐づけて、携帯電話１００から通知された通信用識別情報及び親密度に係る情報を管理する。
【００７１】
通信実行部４０４は、通信用識別情報管理サーバ４００と携帯電話１００との通信を実行する。通信用識別情報管理サーバ４００は、携帯電話１００からの通信識別情報及び親密度に係る情報の通知を受信する。また、携帯電話１００から、後述する４０８で生成する通知リスト４２の閲覧、送信要求の受信、要求を受け付けるための認証要求を受信する。要求を受け付けた場合は、信実行部４０４は携帯電話１００に対して通知リスト４２を送信する。また通信実行部４０４は、携帯電話１００と同様にSNSサーバ３００及びＰＣ１６とも通信してもよい。
【００７２】
通信履歴格納部４０６は、通信用識別情報管理サーバと携帯電話１００、SNSサーバ３００、及びＰＣ１６との間における通信の履歴を格納する。通信履歴格納部４０６は、例えば、通信日時を格納する。
【００７３】
通知リスト生成部４０８は、識別情報格納部４０２に格納された通信用識別情報と親密度に係る情報から、友人・知人関係の親密度に基づく、友人・知人との電話番号やメールアドレスなどを含む連絡先を記載した通知リスト４２を生成する。通知リスト４２は、本人が開示を許諾した者に対して提供するリストであり、開示を許諾した者によって、開示したくない一部の情報もあるかもしれず、開示を許諾した者に応じて、生成し提供する通知リスト４２を変えてもよい。
【００７４】
通知用リストは、分かり易くするため、例えば、友人・知人２０毎の複数カテゴリの中で親密度の数値がトップのカテゴリを特定し、友人・知人２０の通信用識別情報をトップのカテゴリ別に分類のうえ親密度の点数順に並び変えて表示したリストにしてもよい。
【００７５】
通知リスト生成部４０８における通知リスト生成は、識別情報格納部４０２に格納された通信用識別情報と親密度に係る情報が更新されたタイミングで行ってもよく、また、予め定められた時間ごとに行ってもよい。また、例えば携帯端末１００からの生成リクエストに応じて実行してもよい。
【００７６】
通知リスト生成部４０８で生成された通知リストは、通知リスト生成部４０８に、更新日時、本人２０の情報とともに格納されてもよい。
【００７７】
識別情報更新部４１０は、携帯端末１００から通信の都度又は特定の期間毎に通知を受けた通信用識別情報及び親密度に係る情報を、過去に通知を受けて識別情報格納部に格納された通信用識別情報及び親密度に係る情報と比較を行う。過去に通知を受けた識別情報及び親密度に係る情報に、同一の情報が発見できない場合、例えば知人・友人２０のＰＣアドレスは格納されていなかったが、今回、新たに通知された場合には、識別情報格納部４１０に追加情報として新たに格納を指示する。また、情報内容が変更されていた場合、例えば、知人・友人２０の携帯アドレスは格納されていたが、今回、通知された携帯アドレスとは相違する場合には、識別情報格納部４１０に更新情報として上書き修正を指示する。情報内容が全く同一の場合、例えば、格納されていた友人・知人２０の携帯アドレスと、今回通知された携帯アドレスに相違がない場合は、比較を行った日時を、更新日時として識別情報格納部４１０に対して修正指示を行う。
【００７８】
算出条件格納部４１２は、通知リスト生成部４０８で生成する通知リスト４２を生成するための算出条件を格納する。開示を許諾した者に対して、一部の情報は開示したくない場合もある。また、分かりやすいリストにするために、カテゴリ毎、親密度毎に並び替えを行う必要もある。そこで開示を許諾した者に応じてカスタマイズした、通知リスト４２を生成するための算出条件が格納さている。なお、本人１０が開示を許諾した者とは、例えば、本人１０が、本人１０が死亡した場合に、遺族となる近親者などの遺族４０である。
【００７９】
認証部４１４は、本人１０が開示を許諾した者、例えば遺族４０が、通信用識別情報管理サーバ４００にアクセスして、通知リスト４２の取得をリクエストした際に、遺族４０が、本人１０が開示を許諾した者であるか認証する。本人１０は、遺族４０に、通知リスト４２を取得する際に必要となるＩＤ・パスワード４１を本人１０が生前のうちに知らせることとなる。なお許諾した遺族４０ごとＩＤ・パスワード４１をユニークな値として、許諾した遺族４０の名前と、ＩＤ・パスワード４１を対応づけてしてもよい。
【００８０】
認証に際しては、本人１０が死亡する前にアクセスされないよう保護する必要がある。例えば、ＩＤ・パスワード４１を入力して、通信用識別管理用サーバ４００に対して通知リスト４２の取得を要求できる端末を、本人１０の所有物である携帯電話１００に限定してもよい。携帯電話１００は本人１０の所有物なので、本人１０が死亡するまでは、本人以外は容易に操作できないからである。そのために、認証部４１４に携帯電話１００の識別子を事前に記憶させおき、携帯電話１００から送信されてきた携帯電話１００の識別子、遺族４０の登録者名、ＩＤ、及びパスワードと合致した場合にのみ認証してもよい。または、いずれかの通信端末から指定のＵＲＬに入力された遺族４０の登録者名、ＩＤ、及びパスワードを認証部４１４が受信後、携帯電話１００の携帯メールアドレスへ、通知リスト４２の取得ができるURLとワンタイムパスワードを払いだしてもよい。
【００８１】
入力４１６は、入力部１１４は、本人１０からの入力を受け付ける。入力部４１６は、例えば、本人１０からの電話帳データへの入力を受け付けてよい。識別情報格納部１０２に格納される各データは、例えば、入力部１１４を介して本人１０によって入力される。
【００８２】
図８は、通知リスト生成部４０８により生成された通知リスト４２の一例を概略的に示す。図３の識別情報格納部１０２に格納されたデータ、及び図４親密度生成部１０８により生成された親密度データより、図８の通知用リスト４２を作成した作成手順の一例について説明する。まず、図４に記載されている各カテゴリ親密度より、親密度の数値がトップのカテゴリを特定する。ＩＤ００１とＩＤ００３はビジネス関連のカテゴリが、ＩＤ００４は趣味（ゴルフ）のカテゴリが、ＩＤ００２は総合のカテゴリが親密度の数値がトップであったとする。記載されていないＩＤについても同様な処理を行い、その後、トップのカテゴリ別に分類し、分類されたカテゴリの中で、そのカテゴリの親密度の数値の大きい方からＩＤを並べ替えて表示する。その後、図３より各ＩＤに対応するユーザー名、携帯アドレス、ＰＣアドレスなどを追加して、通知リスト４２を作成する。なお、通知リスト４２の作成手順、通知リストに開示する情報は、通知リストを開示する者に応じて変更できるよう設定できてもよい。
【００８３】
制御部４１８は、識別情報格納部４０２、通信実行部４０４、通信履歴格納部４０６、通知リスト生成部４０８、識別情報更新部１１０、算出条件格納部４１２、認証部４１４、及び入力部４１６を制御する。
【００８４】
図９は、本人１０から生前に通知リスト取得用ＩＤ・パスワード４１を知らされた遺族４０が、通知リストを取得するための携帯電話１００及びネットワークを介して接続する通信用情報識別管理サーバ４００の処理のフローチャートの一例を示す。本フローチャートは、制御部１１６によって、入力部１１４からの通知リスト取得用ＩＤ・パスワード４１の入力リクエストを認識し、入力部１１４で通知リスト取得用ＩＤ・パスワード４１を受付が可能な状態にすることにより開始する。
【００８５】
ステップＳ９０２では、入力部１１４は、遺族４０が入力した通知リスト取得用ＩＤ・パスワード４１を受け付ける。
【００８６】
ステップＳ９０４では、制御部１１６が、入力部１１４で受付された通知リスト取得用ＩＤ・パスワード４１を、通信実行部１０４へ指示して、ネットワーク８０を介して通信用識別情報管理サーバ４００へ送信処理を行わせる。
【００８７】
ステップＳ９０６では、通信用識別情報管理サーバ４００の認証部４１４が、少なくとも受信した通知リスト取得用ＩＤ・パスワード４１を用いて、予め本人１０が認証部に登録した通知リストの開示を許諾した遺族４０であるかの認証を行う。認証NGの場合には、携帯電話１００へ認証NGを送信してステップＳ９０２に戻る。認証OKの場合には、ステップＳ９０８へ進む。
【００８８】
ステップＳ９０８では、制御部４１８が、通知リスト生成部４０８に対して、通知リスト４２の生成を指示する。なお、すでに通知リスト生成部４０８にて通知リスト４２が生成されており、かつ、その通知リスト４２が識別情報格納部４０２に格納されている友人・知人２０の通信用識別情報及び親密度に係る情報に基づいて最新に更新されている場合には、新たな生成はおこなわない。通知リスト４２の生成が終了したら、ステップＳ９１０に進む。
【００８９】
ステップＳ９１０では、制御部４１８の指示により、通信実行部４０４は、通知リスト生成部４０８に格納されている通知リスト４２を携帯電話１００へ送信処理を行う。送信処理が終了したら、ステップＳ４２０に進む。
【００９０】
ステップＳ９１２では、携帯電話１００の制御部１１６が、通信実行部１０４を通じて通知リストを所定の時間内に取得したか判定する。所定の時間以内に通知リストを取得できたと判定できない場合には、ステップＳ９１２に戻る。取得できたと判定された場合には、処理を終了する。
【００９１】
図１０は、ＳＮＳサーバ３００が情報処理装置として機能する場合のＳＮＳサーバ３００の機能構成を概略的に示す。ＳＮＳサーバ３００は、識別情報格納部３０２、通信実行部３０４、通信履歴格納部３０６、親密度生成部３０８、算出条件格納部３１２、対応データ格納部３１４、入力部３１６、及び制御部１１６を備える。ここでは、ＳＮＳサーバ３００について、上述した携帯電話１００とは異なる点を主に説明する。
【００９２】
識別情報格納部３０２は、ＳＮＳサーバ３００が提供するソーシャルネットワーキング
サービスを利用する複数の利用者ごとに、複数の通信用識別情報を格納する。例えば、本人１０及び友人・知人２０が利用者として登録されている場合、識別情報格納部３０２
は、本人１０用の複数の通信用識別情報及び友人・知人２０用の複数の通信用識別情報
を格納する。
【００９３】
例えば、識別情報格納部３０２は、本人１０用として、本人１０の第１の通信用識別情報、第２の通信用識別情報、及び第３の通信用識別情報を格納する。第１の通信用識別情報は、例えば、ＳＮＳサーバ３００によって割り当てられたアカウント名である。第２の通信用識別情報は、例えば、ＰＣメールアドレスである。第３の通信用識別情報は、例えば、携帯電話１００の電話番号である。
【００９４】
識別情報格納部３０２は、友人・知人２０用として、友人・知人２０の複数の通信用識別情報を格納してよい。また、識別情報格納部３０２は、友人・知人２０用として、複数の通信相手の通信用識別情報を格納してよい。
【００９５】
通信実行部３０４は、複数の利用者同士の通信を実行する。例えば、通信実行部３０４は、本人１０と友人・知人２０との間における通信を実行する。具体的には、通信実行部３０４は、携帯電話１００と携帯電話２００との間の通信を中継することによって、本人１０と友人・知人２０との間における通信を実行する。
【００９６】
本人１０は、例えば携帯電話１００にインストールされたアプリケーションによって、ＳＮＳサーバ３００と通信してよい。また、友人・知人２０は、例えば携帯電話２００にインストールされたアプリケーションによって、ＳＮＳサーバ３００と通信してよい。通信実行部３０４は、例えば、携帯電話１００と携帯電話２００との間のチャット通信を中継する。また、ＳＮＳサーバ３００上で提供する仮想空間を利用した携帯電話１００と携帯電話２００との間の通信を中継してもよい。
【００９７】
通信履歴格納部３０６は、複数の利用者同士の通信の履歴を格納する。親密度生成部３０８は、複数の利用者同士の親密度を生成する。親密度生成部３０８は、複数の利用者同士の親密度を、複数のカテゴリごとに生成してよい。
【００９８】
このように、ＳＮＳサーバ３００は、提供するソーシャルネットワーキングサービスを利用する利用者同士の親密度の変化を監視して、親密度が予め定められた閾値より大きくなった場合に、各利用者の情報を、通信用識別情報管理サーバ４００に送信する。
【００９９】
図１１は、携帯電話１００のハードウェア構成の一例を示す。携帯電話１００は、ホストコントローラ５０２、ＣＰＵ５０４、ＲＡＭ５０６、入出力コントローラ５０８、ＲＯＭ５１０、及び通信インターフェース５１２を備える。ホストコントローラ５０２は、ＲＡＭ５０６と、ＲＡＭ５０６にアクセスするＣＰＵ５０４とを接続する。ＣＰＵ５０４は、ＲＯＭ５１０及びＲＡＭ５０６に格納されたプログラムに基づいて動作して、各部を制御する。入出力コントローラ５０８は、ホストコントローラ５０２と、ＲＯＭ５１０、通信インターフェース５１２とを接続する。
【０１００】
携帯電話１００にインストールされて実行されるプログラムは、ＣＰＵ５０４等に働きかけて、携帯電話１００を、図１〜図６、及び図９にかけて説明した、識別情報格納部１０２、通信実行部１０４、通信履歴格納部１０６、親密度生成部１０８、算出条件格納部１１２、対応データ格納部１１４、入力部１１４、及び制御部１１６として機能させる。
【０１０１】
また、通信用識別情報管理サーバ４００のハードウェア構成は、図１１に示す携帯電話１００のハードウェア構成と同一であってよい。通信用識別情報管理サーバ４００にインストールされて実行されるプログラムは、ＣＰＵ５０４等に働きかけて、通信用識別情報管理サーバ４００を、図１、及び図７〜図９にかけて説明した、識別情報格納部４０２、通信実行部４０４、通信履歴格納部４０６、通知リスト生成部４０８、識別情報更新部１１０、算出条件格納部４１２、認証部４１４、及び入力部４１６、及び制御部４１８として機能させる。
【０１０２】
また、ＳＮＳサーバ３００のハードウェア構成は、図９に示す携帯電話１００のハードウェア構成と同一であってよい。ＳＮＳサーバ３００にインストールされて実行されるプログラムは、ＣＰＵ５０４等に働きかけて、ＳＮＳサーバ３００を、図１から図８にかけて説明した、識別情報格納部３０２、通信実行部３０４、通信履歴格納部３０６、親密度生成部３０８、算出条件格納部３１２、対応データ格納部３１４、入力部３１４、及び制御部３１６として機能させる。
【０１０３】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。その様な変更又は改良を加えた形態も本発明の技術的範囲に含まれ得ることが、特許請求の範囲の記載から明らかである。
【０１０４】
特許請求の範囲、明細書、及び図面中において示した装置、システム、プログラム、及び方法における動作、手順、ステップ、及び段階などの各処理の実行順序は、特段「より前に」、「先立って」などと明示しておらず、また、前の処理の出力を後の処理で用いるのでない限り、任意の順序で実現しうることに留意すべきである。特許請求の範囲、明細書、及び図面中の動作フローに関して、便宜上「まず、」、「次に、」などを用いて説明したとしても、この順で実施することが必須であることを意味するものではない。
【符号の説明】
【０１０５】
１０  本人、２０  友人・知人、４０  遺族、４１  通知リスト取得用ＩＤ・パスワード、４２  通知リスト、  ８０  ネットワーク、８２  基地局、８４  基地局、１００  携帯電話、１０２  識別情報格納部、１０４  通信実行部、１０６  通信履歴格納部、１０８  親密度生成部、１１２  算出条件格納部、１１４  入力部、１１６  制御部、１６０  ＰＣ、２００  携帯電話、３００  ＳＮＳサーバ、３０２  識別情報格納部、３０４  通信実行部、３０６  通信履歴格納部、３０８  親密度生成部、３１２  算出条件格納部、３１４  入力部、３１６  制御部、４００  通信用識別情報管理サーバ、４０２  識別情報格納部、４０４  通信実行部、４０６  通信履歴格納部、４０８  通知リスト生成部、４１０  識別情報更新部、４１２  算出条件格納部、４１４  認証部、４１６  入力部、４１６  制御部、５０２  ホストコントローラ、５０４  ＣＰＵ、５０６  ＲＡＭ、５０８  入出力コントローラ、５１０  ＲＯＭ、５１２  通信インターフェース
【図１】
0005952329.tif 000002
【図２】
0005952329.tif 000003
【図３】
0005952329.tif 000004
【図４】
0005952329.tif 000005
【図５】
0005952329.tif 000006
【図６】
0005952329.tif 000007
【図７】
0005952329.tif 000008
【図８】
0005952329.tif 000009
【図９】
0005952329.tif 000010
【図１０】
0005952329.tif 000011
【図１１】
0005952329.tif 000012